(57)【特許請求の範囲】
【請求項１】
燃料供給源から定油面器を介して液体燃焼器に液体燃料を供給する燃料供給装置において、前記燃料供給源と前記定油面器とを接続する接続管に、常時は閉弁状態に保たれる自動開閉弁を設け、該自動開閉弁を、前記液体燃焼器の運転スイッチの操作で開弁させると共に、該運転スイッチとは別の操作スイッチでも開弁させ得るようにしたことを特徴とする液体燃焼器における燃料供給装置。
【発明の詳細な説明】
【０００１】
【発明の属する技術分野】
本発明は、燃料供給源から定油面器を介して液体燃料（主として灯油）を液体燃焼器に供給する燃料供給装置に関する。
【０００２】
【従来の技術】
従来、液体燃焼装置を据え付けるときや、燃料切れ時に、燃料供給源と定油面器とを接続する接続管に空気が入り込んでおり、これを放置するとエアロックを起こす。そこで、接続管に空気抜ねじを備えるオイルストレーナを設け、該空気抜ねじを操作してエアを抜くようにしている。
しかしこのものは、該空気抜ねじを完全に閉じていないとき等、該オイルストレーナから液体燃料が漏れ出る恐れがある。
【０００３】
【発明が解決しようとする課題】
そこで、燃料供給源（油タンク）の出口にバルブを設け、運転停止時や長期間使用しないときに、該油タンクの出口に設けたバルブを閉じることを使用説明書等で使用者にお願いしているが、これを守られない場合が多々あり、特に長期間使用しないときは液体燃焼装置に注意が向かず、液体燃料漏れに対する注意が怠たられ勝ちとなり、液体燃料が漏れ出るという不具合を完全に防ぐことができない。
【０００４】
また、タイマー機能を備えた器具や温度調節のため、消火待機機能を持つ器具があり、この器具では消火待機中にバルブを閉じることができない。そこで、前記オイルストレーナの上流側に、燃焼中のみ開く電磁弁を設けたものも知られる。このものでは、消火待機中並びに不使用中、電磁弁を開くことができないため、運転停止時や長期間使用しないときに、接続管に入り込んだエアを抜くことができない。という不具合を生じる。
【０００５】
本発明は、かかる不具合を解消した装置を提供することを課題とする。
【０００６】
【課題を解決するための手段】
請求項１に記載の発明は、燃料供給源から定油面器を介して液体燃焼器に液体燃料を供給する燃料供給装置において、前記燃料供給源と前記定油面器とを接続する接続管に、常時は閉弁状態に保たれる自動開閉弁を設け、該自動開閉弁を、前記液体燃焼器の運転スイッチの操作で開弁させると共に、該運転スイッチとは別の操作スイッチでも開弁させ得るようにしたことで、通常の使用時は、運転スイッチを操作して自動開閉弁を開き、燃料供給源から定油面器を介して液体燃焼器に燃料を供給することができ、しかも、液体燃焼器を据え付けるときや、燃料切れ時等に接続管に入り込んだ空気抜きを必要とするときは、別の操作スイッチを操作することで、運転スイッチとは無関係に、自動開閉弁を開いて、燃料供給源から液体燃料を送り出すことで、該液体燃料によって接続管に入り込んだ空気を定油面器内に送り出すことができる。
【０００７】
【発明の実施の形態】
本発明実施の形態を図１に付いて説明する。
【０００８】
図１で、１は燃料供給源としての油タンク、２は定油面器、３は液体燃焼器を示し、油タンク１から落差を利用して定油面器２に液体燃料を供給し、該定油面器２に供給された液体燃料を電磁ポンプ４で汲み上げて液体燃焼器３に供給する。
【０００９】
定油面器２は、図４に示すごとく、内部に油タンク１に連なる通路２ａと、該通路の上端に開口する燃料流入口２ｂと、該燃料流入口２ｂを開閉操作するフロート弁２ｃとを備え、該定油面器２内の液面が定液面位置より下がると、燃料流入口２ｂは開かれて油タンク１から定油面器２内に燃料が供給される。なお、定油面器２内の上部空間は空気管２ｄを介して大気等に解放されている。
【００１０】
なお、図１に示すものは、液体燃焼器３を高断熱・高気密家屋Ａの床下空間Ｂに設置して、該液体燃焼器３の放熱部３ｄから放出する熱を対流用ファン５で、床下空間Ｂと連なる各居室Ｃに送り出して暖房する温風暖房装置に適用した場合を示し、該液体燃焼器３は、床下空間Ｂでの設置に適するように、前後面を解放した筐体６内に設け、該筐体６の背面に前記対流用ファン５を取り付け、筐体６の前面に、着脱自在にカバー７を取り付け、該カバー７に設けた接続口７ａに温風誘導用のダクト８を接続して、対流用ファン５によって生起される温風を該ダクト８を介して床下空間Ｂの所定位置まで誘導するようにした。
なお、該筐体６並びにカバー７の周壁は内外２重に構成して、その間に断熱空間を形成した。
【００１１】
液体燃焼器３は図３に示すごとく、周面に多数の空気孔を備えるポットバーナ３ａと、該ポットバーナ３ａを囲む空気室３ｂと該ポット３ａの上方に設けた燃焼室３ｃと、該燃焼室３ｃに連通する放熱器３ｄと、燃焼用ファン３ｅと、該燃焼用ファン３ｅと同軸上に設けた排気用ファン３ｆとを備え、両ファン３ｅ，３ｆによって、これらと連なる給排気筒９を介して屋外から燃焼用空気を取り入れ、屋外に排気を放出させる。
１０は、油タンク１と定油面器２とを接続する接続管１１に介在させた電磁弁又は電動弁等からなる自動開閉弁を示す。該自動開閉弁１０は、常時は閉弁状態に保たれ、図６に示す、液体燃焼器３を作動・停止させる運転スイッチ１２を操作したとき、又は運転スイッチ１２と別の操作スイッチ１３を操作したとき開弁する。
【００１２】
本液体燃焼器３は、図５に示すマイコン１４を備えた制御回路によって操作されるもので、マイコン１４の出力側に、対流用ファン５の作動回路１５に介入させた受光子ｓｓｒ１に光信号を送るソリット・ステート・リレーＳＳＲ１（出力を可変調節できる）と、燃焼用ファン３ｅの作動回路１６に介入させた受光子ｓｓｒ２に光信号を送るソリット・ステート・リレーＳＳＲ２（出力を可変調節できる）と、ポット３内に設けた点火ヒータ１７の作動回路１８の接点ｒｙ１を介入させたリレーＲＹ１とを介入させると共に、電磁ポンプ４の作動回路１９に介入させた受光子ｐｈ１に光パルス信号を送る発光素子ＰＨ１と、前記した運転スイッチ１２又は別の操作スイッチ１３を操作したとき、自動開閉弁１０の操作回路２０に接点ｒｙ２を介入させたリレーＲＹ２とを備える。
【００１３】
なお、電磁ポンプ４の作動回路１９は、前記運転スイッチ１２を介して電源に接続すると共に、該作動回路１９には運転スイッチ１２を閉じたとき作動する発光素子ＰＨ２  を備え、該発光素子ＰＨ２  の受光子ｐｈ２  をマイコン１４の入力側に介入させて、運転スイッチ１２を閉じたときマイコン１４にこれを入力させ、その信号に伴って、前記ソリット・ステート・リレーＳＳＲ１、ＳＳＲ２並びにリレーＲＹ１及びＲＹ２を動作させるようにした。
【００１４】
なお、別の操作スイッチ１３は図５に示すごとく、マイコン１４とは無関係に、該操作スイッチ１３を閉じたとき、前記リレーＲＹ２が電源と接続するようにし、又は、リモートコントロール操作盤２１上の例えば、「送り」ボタン２１ａと「低／分」ボタン２１ｂとを別の操作スイッチ１３に当て、これらを同時に押し操作したとき前記リレーＲＹ２が動作するとようにする。この場合、両ボタンは、単に接触しただけでは、リレーＲＹ３が動作しないように、例えば同時押しを３秒間続けたら動作するようにセットして置く。なお、２２は、リモートコントロール操作盤２１電源を入切りするスイッチを示す。
【００１５】
この制御回路による動作を説明すれば、運転スイッチ１２を投入すると同時にマイコン１４に登録したプログラムに従って、リレーＲＹ１  、リレーＲＹ２  が励磁し、その接点ｒｙ１、接点ｒｙ２  を閉じるため、自動開閉弁１０を開いて定油面器２に燃料を送り込める状態に準備できると共に、燃焼用ファン３ｅ並びに排気ファン３ｆを駆動させてポット３ａ内を掃気し、点火ヒータ１７の作動回路１８に通電してポット３ａを予熱する。その後、電磁ポンプ４が作動してポット３ａに燃料を供給する。ポット３ａに供給された燃料は、点火ヒータ１７によって着火燃焼させる。
なお、タイマー待機や温度調節のため、運転スイッチ１２が「入り」になっていても燃焼しない状態があり、そのようなものでは、自動開閉弁１０を開く状態を運転スイッチ１２を操作後に動作する電磁ポンプ４により先に開いても良いし、同期させても良い。
【００１６】
消火は、運転スイッチ１２を開くことで、リレーＲＹ１  が消磁し、その接点ｒｙ１を開くため、自動開閉弁１０は閉じるため、定油面器２側への液体燃料の供給を断つ。しかも、電磁ポンプ４の作動回路１９への通電を断って電磁ポンプ４を不作動とする。これによってポット３ａへの燃料の供給が断たれる。しかし、前記燃焼用ファン３ｅはその後も作動し続け、燃焼用ファン３ｅからの送風によってポット３ａを冷やし、ポット３ａが一定温度以下になったことをポット温度検出器（図示しない）で検出したとき、マイコン１４からの指令で、燃焼用ファン３ｅを停止させる。
【００１７】
なお、上記する、リモートコントロール操作盤２１上の「送り」ボタン２１ａと「低／分」ボタン２１ｂとを別の操作スイッチ１３に当てたものでは、前記運転スイッチ１２の操作と同時に、操作スイッチ１３によってリレーＲＹ２  が励磁される状態を解除されるようにマイコン１４に登録して置く。
【００１８】
なお、前記点火ヒータ１７は、点火燃焼後マイコン１４に内臓したタイマによって通電を解かれる。
又、液体燃焼装置を据え付けるときや、燃料切れ時には、別の操作スイッチ１３を操作することで、運転スイッチ１２とは無関係に、自動開閉弁１０を開いて、燃料タンク１から液体燃料を送り出し、その液体燃料によって接続管１１に入り込んだ空気を定油面器２内に送り出すことができる。
【００１９】
【発明の効果】
請求項１に記載の発明によれば、通常の使用時は、運転スイッチを操作して自動開閉弁を開き、燃料供給源から定油面器を介して液体燃焼器に燃料を供給することができ、また、別の操作スイッチを操作すれば、運転スイッチとは無関係に、自動開閉弁を開いて、燃料供給源から液体燃料を送り出すことで、液体燃焼装置を据え付けるときや燃料切れ時に、接続管に入り込んだ空気を該液体燃料によって定油面器内に送り出すことができて、簡単にエア抜きができる。
【図面の簡単な説明】
【図１】本燃料供給構造を備える液体燃焼器を暖房器として使用する状態の概略図
【図２】暖房器の截断平面図
【図３】図２のＩＩＩ−ＩＩＩ線截断面図
【図４】要部の一部を切除した側面図
【図５】液体燃焼器を作動させる回路図
【図６】リモートコントロール部の正面図
【符号の説明】
１  燃料供給源            ２  定油面器        １０  自動開閉弁
１１  接続管              １２  運転スイッチ    １３  操作スイッチ
【図１】
0003621281.tif 000002
【図２】
0003621281.tif 000003
【図３】
0003621281.tif 000004
【図４】
0003621281.tif 000005
【図５】
0003621281.tif 000006
【図６】
0003621281.tif 000007